(57)【要約】【課題】オイルパンの車両後方の部位を走行風により効率的に冷却する。【解決手段】二輪車のエンジン下部に配置され、エンジンオイルを貯留するためのオイルパン２は、浅底部３と、前記浅底部の車両左右方向略中央において車両前後方向へ延びるように、かつ前記浅底部よりも深く形成された深底部４であって、車両左右方向に対向する前記深底部の両側壁部における車両左右方向の間隔が、車両前方から車両後方へ向かうにつれて大きくなるように形成されている深底部とを備えている。【選択図】図６
2020012408.tif 000002
【特許請求の範囲】
【請求項１】
二輪車のエンジン下部に配置され、エンジンオイルを貯留するためのオイルパンであって、
浅底部と、
前記浅底部の車両左右方向略中央において車両前後方向へ延びるように、かつ前記浅底部よりも深く形成された深底部であって、車両左右方向に対向する前記深底部の両側壁部における車両左右方向の間隔が、車両前方から車両後方へ向かうにつれて大きくなるように形成されている深底部と
を備えたオイルパン。
【請求項２】
前記深底部の前壁部における少なくとも車両下方の壁面部は、車両左右方向両端部が車両左右方向略中央部よりも車両後方に位置するように車両底面視で略円弧状又は略Ｕ字状に形成されている、請求項１に記載のオイルパン。
【請求項３】
前記深底部の底壁部に、車両下方に突出し、かつ車両前後方向に延びる２本のリブ部が設けられている、請求項１又は２に記載のオイルパン。
【請求項４】
前記浅底部の底壁部が、車両前方から車両後方へ向かうにつれて車両上方から車両下方に緩やかに傾斜するように形成されている、請求項１〜３のいずれか一項に記載のオイルパン。
【請求項５】
前記浅底部の底壁部の下方かつ前記深底部の側壁部の車両側方に、前記二輪車のエンジンに接続された排気管が配置され、
前記浅底部の底壁部と前記排気管との車両上下方向の間隔が車両前方から車両後方へ向かうにつれて狭くなるように、前記浅底部の底壁部が形成されている、請求項１〜４のいずれか一項に記載のオイルパン。
【発明の詳細な説明】
【技術分野】
【０００１】
本発明は、二輪車のエンジン下部に配置されるオイルパンに関する。
【背景技術】
【０００２】
特許文献１には、自動二輪車の前後方向に並ぶ複数のリブが底部に突設されたオイルパンが記載されている。このオイルパンの底部にはドレン孔も設けられている。
【先行技術文献】
【特許文献】
【０００３】
【特許文献１】特開２００８−１６３８４０号公報
【発明の概要】
【発明が解決しようとする課題】
【０００４】
二輪車のエンジン周辺部品の中でも、オイルパンは高温環境下で使用される。二輪車の走行時において、特にオイルパンの車両後方の部位には走行風が当たりにくいため、走行風による当該部位の冷却が難しいという課題がある。本発明は、このような実状に鑑みて、オイルパンの車両後方の部位を走行風により効率的に冷却することを目的とする。
【課題を解決するための手段】
【０００５】
上記目的を達成するために、二輪車のエンジン下部に配置され、エンジンオイルを貯留するためのオイルパンは、浅底部と、前記浅底部の車両左右方向略中央において車両前後方向へ延びるように、かつ前記浅底部よりも深く形成された深底部であって、車両左右方向に対向する前記深底部の両側壁部における車両左右方向の間隔が、車両前方から車両後方へ向かうにつれて大きくなるように形成されている深底部とを備えている。
【発明の効果】
【０００６】
本発明によれば、オイルパンの車両後方の部位を走行風により効率的に冷却することができる。
【図面の簡単な説明】
【０００７】
【図１】二輪車の側面図である。
【図２】二輪車のエンジン下部を車両下方から見た斜視図である。
【図３】二輪車のエンジン下部を車両側方から見た側面図である。
【図４】オイルパンの底面図である。
【図５】オイルパンの側面図である。
【図６】オイルパンを下方から見た斜視図である。
【図７】オイルパンの深底部における底壁部を示す説明図である。
【図８】オイルパンの深底部における底壁部の別の例を示す説明図である。
【図９】オイルパンの深底部における底壁部のさらに別の例を示す説明図である。
【発明を実施するための形態】
【０００８】
以下、本発明の実施形態を説明する。ただし、本発明は、以下の実施形態によって限定されるものではない。なお、図において、矢印Ｆ及びＢは二輪車の車両前方及び車両後方をそれぞれ示し、矢印Ｌ及びＲは車両前方を基準とした車両左方向及び車両右方向をそれぞれ示し、矢印Ｕ及びＤは車両上方及び車両下方をそれぞれ示す。
【０００９】
図１〜図７に示すように、二輪車１のエンジン下部には、エンジンオイルを貯留するためのオイルパン２が設けられている。このオイルパン２は、浅底部３と深底部４とを有する。浅底部３の開口部は、それ自体がオイルパン２の開口部を形成している。
【００１０】
深底部４は、浅底部３の車両左右方向略中央において車両前後方向へ延びるように、かつ浅底部３よりも深く形成されており、その平面視形状は略長方形である。深底部４の底壁部４１は、浅底部の底壁部３１よりも車両下方に位置する。車両左右方向に対向する深底部４の左側壁部４２１及び右側壁部４２２の車両左右方向の間隔は、車両前方から車両後方へ向かうにつれて大きくなるように構成されている。具体的には、車両前方の上記間隔Ｋ１１に比べて、車両後方の上記間隔Ｋ１２は大きい（図７）。なお、略中央とは、必ずしも厳密な意味での中央に限定されるものではなく、本発明の技術的思想に基づいて設計変更可能な範囲を含む。
【００１１】
深底部４の車両前方に位置し、底壁部４１と左側壁部４２１及び右側壁部４２２とに連接する前壁部４４は、車両上方の壁面部４４ａと車両下方の壁面部４４ｂとを有する。車両下方の壁面部４４ｂは、その車両左右方向両端部４４ｂ１及び４４ｂ２が車両左右方向略中央部４４ｂ３よりも車両後方に位置するように、車両底面視で略円弧状に形成されている。略円弧状とは、真円の円弧のみでなく、楕円や長円等の一部を含む曲線状の形状を含むものをいい、また、必ずしも厳密な意味での円弧形状でなくてもよく、円弧形状の一部が直線形状に置換された形状でも良い。
【００１２】
深底部４の底壁部４１において、前壁部４４における車両下方の壁面部４４ｂの車両後方には、オイルパン内方へ凹んだ形状の凹部４１ａが形成されている。この凹部４１ａにはエンジンオイルの排出口が形成され、この排出口にはボルト４１ｂが締結される。凹部４１ａが形成されていることにより、車両下方の壁面部４４ｂは、車両下方に突出したリブ状に形成されている。
【００１３】
深底部４の底壁部４１の外壁面において、凹部４１ａの車両後方には、車両下方に突出し、かつ車両前後方向に延びる２本のリブ部４１ｃ１及び４１ｃ２が車両左右方向に間隔を置いて設けられている。両リブ部の車両左右方向の間隔は、車両前方から車両後方へ向かうにつれて大きくなるように構成されている。具体的には、車両前方の上記間隔Ｋ３１に比べて、車両後方の上記間隔Ｋ３２は大きい（図７）。
【００１４】
浅底部３の底壁部３１は、深底部４の左側壁部４２１と浅底部の左側壁部３５とに連接するように設けられているとともに、深底部４の右側壁部４２２と浅底部の右側壁部とに連接するように設けられている。この底壁部３１は、車両前方から車両後方へ向かうにつれて車両上方から車両下方へ緩やかに傾斜するように形成されている。
【００１５】
浅底部３の底壁部３１の下方かつ深底部４の両側壁部４２１及び４２２の車両側方には、二輪車１のエンジンに接続され、そのエンジンからの排気ガスが流れる排気管５が設けられている。浅底部３の底壁部３１は、その底壁部３１と排気管５との車両上下方向の間隔が、車両前方から車両後方へ向かうにつれて狭くなるように形成されている。具体的には、車両前方における底壁部３１と排気管５との車両上下方向の間隔Ｋ２１は、車両後方における底壁部３１と排気管５との車両上下方向の間隔Ｋ２２に比べて大きい（図３）。
【００１６】
オイルパン２の開口部（すなわち浅底部３の開口部）の周縁部には、略水平方向外側に突出するフランジ３２が設けられている（図４）。このフランジ３２には、オイルパン２を二輪車１のエンジン下部に取り付けるためのボルト３３が挿入される貫通孔３４が車両上下方向に形成されている（図３及び図４）。
【００１７】
二輪車１の走行時、オイルパン２は、エンジンオイルの影響を受けて温度が上昇する。排気管５の近傍に位置するオイルパンの部位においては、排気管５を流れる高熱の排気ガスの影響をも受けて、温度上昇が顕著である。他方、二輪車１の前進時に車両前方から車両後方へと向かう走行風の少なくとも一部が、深底部４の前壁部４４の壁面部４４ｂに当たる。壁面部４４ｂに当たった走行風の少なくとも一部は、深底部４の両側壁部の側方を車両後方へ向かう２つの流れに分かれる。これらの２つの流れは、車両前方における車両左右方向の間隔に比べて車両後方における車両左右方向の間隔が大きくなるように構成されている深底部４の両側壁部に当たりながら、オイルパン２の車両後方へ達する。このような走行風の流れを矢印Ｙとして示している。
【００１８】
矢印Ｙとして示した上記走行風により、排気管５に近接するオイルパン２の部位が効率的に冷却される。そして、オイルパン２の上記部位へ、フランジ３２及びボルト３３の熱が伝わることにより、オイルパン２の車両後方に位置するフランジ３２及びボルト３３も冷却される。その結果、ボルト３３が緩む可能性を低減することができる。走行風が当たりにくいとされるオイルパンの車両後方の部位の冷却を効率的に行うことが可能である。
【００１９】
このように、本実施形態によれば、二輪車のエンジン周辺部品の中でも高温環境下で使用されるオイルパンを効率的に冷却することができる。
【００２０】
ところで、オイルパンの材料として、軽量化のために、マグネシウム等の卑な金属が使用される場合がある。しかし、マグネシウムは高温環境下ではクリープ強度が低いこと、及びオイルパンと締結ボルトとの線膨脹係数の差に伴い、オイルパンのボス部分に歪みが生じる場合がある。このため、オイルパンの材料としてマグネシウムを使用する場合、高熱環境下でのオイルパンの使用により、最悪の場合、締結ボルトの軸力低下を招く可能性がある。
【００２１】
本実施形態によれば、オイルパンが効率的に冷却されるため、オイルパンのボス部分に歪みが生じることを抑制できる。その結果、締結ボルトの軸力低下を招く可能性を抑制することができる。
【００２２】
さらに、本実施形態によれば、オイルパンの冷却に際し、遮熱板などの別の部品を設ける必要がないため、部品点数の増加を抑えることができる。ひいては、生産性及び製造コストの両面で有益である。
【００２３】
オイルパン２の前壁部４４において車両下方の壁面部４４ａが略円弧状に形成されているため、走行風を当該壁面部に沿って、より少ない抵抗でオイルパン後方へ流すことができる。その結果、冷却効果をさらに高めることができる。
【００２４】
壁面部４４ｂに当たった走行風の少なくとも一部は、底壁部４１の下方を車両後方へと流れる。このとき、この走行風がリブ部４１ｃ１及び４１ｃ２に沿って流れることにより、リブ部４１ｃ１及び４１ｃ２が冷却される。また、車両前方におけるリブ部４１ｃ１及び４１ｃ２の車両左右方向の間隔に比べて、車両後方における両リブ部の上記間隔が大きいことから、走行風が両リブ部に当たりながら車両後方へと流れ、リブ部４１ｃ１及び４１ｃ２がより冷却される。冷却された両リブ部へオイルパン２の車両後方部位の熱が伝わる結果、当該部位の冷却効果をさらに高めることができる。
【００２５】
浅底部３の底壁部３１が、車両前方から車両後方へ向かうにつれて車両上方から車両下方に緩やかに傾斜するように形成されているため、走行風が浅底部の底壁部外壁面に当たりながら車両後方へと流れてゆく。その結果、オイルパン車両後方の冷却効果を向上させることができる。
【００２６】
先に述べたように、浅底部３の底壁部３１と排気管５との車両上下方向の間隔が車両前方から車両後方へ向かうにつれて狭くなるように、浅底部３の底壁部３１が形成されている。つまり、排気管５と底壁部３１との間の空間部の、走行風が流れる方向に対して垂直な断面の断面積が、車両前方から車両後方へ向かうにつれて小さくなっていく。そのため、走行風が、車両後方に向かうにつれて断面積の小さくなる上記空間部を通ることにより二輪車に対する走行風の相対速度が車両後方ほど大きくなる。その結果、走行風によるオイルパン後方の冷却効果を上げることができる。
【００２７】
底壁部４１に凹部４１ａが設けられていなくてもよい。凹部４１ａが設けられていない場合の、底壁部４１と左側壁部４２１及び右側壁部４２２とがなす稜線を、符号４３１及び４３２として示す（図６）。
【００２８】
なお、オイルパンの材料としてマグネシウムを使用できることを述べたが、マグネシウム合金も使用可能である。マグネシウム合金として、展伸材、鋳造材、ダイカスト材が挙げられるが、いずれでもよい。アルミニウム、亜鉛、及びその合金もオイルパンの材料として使用可能である。マグネシウム、アルミニウム、亜鉛などの合金成分についても特に限定されない。
【００２９】
深底部４の両側壁部４２１及び４２２における車両左右方向の間隔は、車両前方から車両後方へと向かうにつれて、徐々に大きくなるように構成される必要はなく、両側壁部が平行となる箇所が一部にあってもよい。あるいは、両側壁部の車両左右方向の間隔が、車両前方から車両後方に向かうにつれて、狭くなる箇所が一部にあってもよい。
【００３０】
オイルパン２がエンジン下部に取り付けられた状態において、壁面部４４ｂの下端部の路面からの高さは、両リブ部４１ｃ１及び４１ｃ２の下端部の路面からの高さと同程度とすることができる。この場合、壁面部４４ｂに当たり、底壁部４１に沿って車両後方へと流れる走行風の少なくとも一部が、両リブ部４１ｃ１及び４１ｃ２にも沿って流れる。これにより冷却効果の向上がもたらされる。
【００３１】
前壁部４４における車両下方の壁面部４４ｂの車両左右方向の間隔Ｋ１１は、凹部４１ａの後方における底壁部の車両左右方向の間隔Ｋ４１よりも小さいことが好ましい。さらに、この間隔Ｋ１１は、間隔Ｋ３１よりも大きいことが好ましい。このように、間隔Ｋ１１、Ｋ３１、及びＫ４１を設定することにより、走行風が車両側方へ逃げにくくなり、かつリブ部４１ｃ１及び４１ｃ２の外方に沿って流れるため、冷却効率が高まる。
【００３２】
壁面部４４ｂを、図８に示す壁面部４４ｓに置き換えることもできる。壁面部４４ｓは、その車両左右方向両端部４４ｓ１及び４４ｓ２が車両左右方向略中央部４４ｓ３よりも車両後方に位置するように、車両底面視で略円弧状に形成されている。さらに、壁面部４４ｓは、壁面部４４ｂよりも弧の長さが大きくなるように形成されている。
【００３３】
あるいは、壁面部４４ｂを、図９に示す壁面部４４ｔに置き換えることもできる。壁面部４４ｔは、車両左右方向に直線状に延びる車両左右方向略中央部４４ｔ１を有する。壁面部４４ｔはさらに、車両左右方向略中央部４４ｔ１の車両左右方向両端部から車両後方へと直線状に延びる車両左右方向両端部４４ｔ２及び４４ｔ３を有する。壁面部４４ｔは全体として、車両底面視で略Ｕ字状に形成されている。略Ｕ字状とは、必ずしも厳密な意味でのＵ字を意味するのではなく、コの字状やＶ字状を含むものをいい、開口部が広がっている形状が好ましいが、開口部が狭くなっている形状でも良い。これにより、走行風を当該壁面部に沿って、より少ない抵抗でオイルパン後方へ流すことができ、冷却効果をさらに高めることができる。
【００３４】
前壁部４４の壁面部全体（すなわち車両上方の壁面部４４ａ及び車両下方の壁面部４４ｂ）を車両底面視で略円弧状又は略Ｕ字状に形成することもできる。
【００３５】
深底部４の前壁部４４と両側壁部４２１及び４２２と後壁部４５とは、車両上下方向に略垂直に形成することができ、又は、車両上方から車両下方へと向かうにつれてオイルパン内方へ向かうように形成することもできる。
【００３６】
以上、本発明の実施の形態につき述べたが、本発明は既述の実施の形態に限定されるものではなく、本発明の技術的思想に基づいて各種の変形及び変更が可能である。
【符号の説明】
【００３７】
１      二輪車
２      オイルパン
３      浅底部
３１    底壁部
４      深底部
４１    底壁部
４１ｃ１、４１ｃ２  リブ部
４２１  左側壁部
４２２  右側壁部
４４    前壁部
５      排気管
【図１】
2020012408.tif 000003
【図２】
2020012408.tif 000004
【図３】
2020012408.tif 000005
【図４】
2020012408.tif 000006
【図５】
2020012408.tif 000007
【図６】
2020012408.tif 000008
【図７】
2020012408.tif 000009
【図８】
2020012408.tif 000010
【図９】
2020012408.tif 000011